(57)【要約】【課題】簡便な方法で画像データの利用促進を図る。【解決手段】ユーザ端末とサーバとが通信ネットワークで接続され、サーバは、所定のユーザのユーザ端末から画像データと画像データを公開するグループ情報とを受信したら画像データをグループ情報に関連付けて記憶する登録部と、画像データが一覧表示されるグループページ画面の画面データを作成する画面生成部と、を少なくとも備え、所定のユーザのユーザ端末は、画像データが一覧表示されるローカル画面を生成して表示させるローカル表示制御部と、Ｗｅｂブラウザを用いてサーバからグループページ画面データを取得して表示させるＷｅｂ表示制御部と、を少なくとも備え、グループ情報で特定されるユーザのユーザ端末は、Ｗｅｂブラウザを用いてサーバからグループページ画面データを取得して表示させるＷｅｂ表示制御部を少なくとも備える。【選択図】図４
2011082895.tif 000002
【特許請求の範囲】
【請求項１】
画像データを利用するユーザのユーザ端末と、前記画像データを保管するサーバと、が通信ネットワークで接続された画像データ共有システムにおいて、
前記サーバは、
所定のユーザのユーザ端末から前記画像データと前記画像データを公開するユーザを特定するグループ情報とを受信したら、前記画像データを前記グループ情報に関連付けて記憶する登録部と、
前記グループ情報に関連付けて記憶した前記画像データに基づく画像が一覧表示されるグループページ画面の画面データを作成する画面生成部と、を少なくとも備え、
前記所定のユーザのユーザ端末は、
前記画像データに基づく画像が一覧表示されるローカル画面を生成して表示部に表示させるローカル表示制御部と、
Ｗｅｂブラウザを用いて前記サーバから前記グループページ画面の画面データを取得して前記表示部に表示させるＷｅｂ表示制御部と、を少なくとも備え、
前記グループ情報で特定されるユーザのユーザ端末は、
Ｗｅｂブラウザを用いて前記サーバから前記グループページ画面の画面データを取得して表示部に表示させるＷｅｂ表示制御部を少なくとも備える、ことを特徴とする画像データ共有システム。
【請求項２】
画像データを利用するユーザのユーザ端末と、前記画像データを保管するサーバと、が通信ネットワークで接続された画像データ共有システムにおいて、
前記サーバは、
所定のユーザのユーザ端末から前記画像データ及び前記所定のユーザを特定するユーザ情報を受信したら、前記画像データを前記ユーザ情報に関連付けて記憶し、前記画像データの中から選択された１又は複数の画像データを公開するユーザを特定するグループ情報を受信したら、前記１又は複数の画像データを前記グループ情報に関連付けて記憶する登録部と、
前記グループ情報に関連付けて記憶した前記１又は複数の画像データに基づく画像が一覧表示されるグループページ画面の画面データを作成する画面生成部と、を少なくとも備え、
前記所定のユーザのユーザ端末は、
前記画像データに基づく画像が一覧表示されるローカル画面を生成して表示部に表示させるローカル表示制御部と、
Ｗｅｂブラウザを用いて前記サーバから前記グループページ画面の画面データを取得して前記表示部に表示させるＷｅｂ表示制御部と、を少なくとも備え、
前記グループ情報で特定されるユーザのユーザ端末は、
Ｗｅｂブラウザを用いて前記サーバから前記グループページ画面の画面データを取得して表示部に表示させるＷｅｂ表示制御部を少なくとも備える、ことを特徴とする画像データ共有システム。
【請求項３】
画像データを利用するユーザのユーザ端末と、前記画像データを保管するサーバと、が通信ネットワークで接続された画像データ共有システムにおいて、
前記サーバは、
所定のユーザのユーザ端末から前記画像データ及び前記所定のユーザを特定するユーザ情報を受信したら、前記画像データを前記ユーザ情報に関連付けて記憶し、前記画像データの中から選択された１又は複数の画像データを公開するユーザを特定するグループ情報を受信したら、前記１又は複数の画像データを前記グループ情報に関連付けて記憶する登録部と、
前記所定のユーザからのアクセスに対して、前記ユーザ情報に関連付けて記憶した前記画像データに基づく画像が一覧表示されるユーザページ画面の画面データを作成し、前記グループ情報で特定されるユーザからのアクセスに対して、前記グループ情報に関連付けて記憶した前記１又は複数の画像データに基づく画像が一覧表示されるグループページ画面の画面データを作成する画面生成部と、を少なくとも備え、
前記所定のユーザのユーザ端末は、
前記画像データに基づく画像が一覧表示されるローカル画面を生成して表示部に表示させるローカル表示制御部と、
Ｗｅｂブラウザを用いて前記サーバから前記ユーザページ画面及び前記グループページ画面の画面データを取得して前記表示部に表示させるＷｅｂ表示制御部と、を少なくとも備え、
前記グループ情報で特定されるユーザのユーザ端末は、
Ｗｅｂブラウザを用いて前記サーバから前記グループページ画面の画面データを取得して表示部に表示させるＷｅｂ表示制御部を少なくとも備える、ことを特徴とする画像データ共有システム。
【請求項４】
前記サーバは、前記グループ情報で特定されるユーザに対して、前記グループページ画面の画面データを取得するためのアドレス情報を記述した電子メールを送信する、ことを特徴とする請求項１乃至３のいずれか一に記載の画像データ共有システム。
【請求項５】
前記ローカル画面と、前記ユーザページ画面及び／又は前記グループページ画面とは、少なくとも、画像データに基づく画像が一覧表示される画像表示欄と、前記画像データに対する処理を指示するボタンが配列される指示欄と、が同じ態様で表示される、ことを特徴とする請求項１乃至４のいずれか一に記載の画像データ共有システム。
【請求項６】
画像データを利用するユーザのユーザ端末と、前記画像データを保管するサーバと、が通信ネットワークで接続されたシステムにおける画像データ共有方法であって、
所定のユーザのユーザ端末が、前記画像データに基づく画像が一覧表示されるローカル画面を表示し、前記画像データ及び前記画像データを公開するユーザを特定するグループ情報が設定されたら、前記画像データ及び前記グループ情報を前記サーバに送信するアップロードステップと、
前記サーバが、前記画像データを前記グループ情報に関連付けて記憶する画像データ登録ステップと、
前記サーバが、前記グループ情報で特定されるユーザからのアクセスに対して、前記グループ情報に関連付けて記憶した前記画像データに基づく画像が一覧表示されるグループページ画面の画面データを作成する画面生成ステップと、
前記グループ情報で特定されるユーザのユーザ端末が、Ｗｅｂブラウザを用いて前記サーバから前記グループページ画面の画面データを取得して表示部に表示させる画像データ表示ステップと、を少なくとも有することを特徴とする画像データ共有方法。
【請求項７】
画像データを利用するユーザのユーザ端末と、前記画像データを保管するサーバと、が通信ネットワークで接続されたシステムにおける画像データ共有方法であって、
所定のユーザのユーザ端末が、前記画像データに基づく画像が一覧表示されるローカル画面を表示し、前記画像データ及び前記所定のユーザを特定するユーザ情報を前記サーバに送信するアップロードステップと、
前記サーバが、前記画像データを前記ユーザ情報に関連付けて記憶する第１の画像データ登録ステップと、
前記サーバが、前記所定のユーザからのアクセスに対して、前記ユーザ情報に関連付けて記憶した前記画像データに基づく画像が一覧表示されるグループページ画面の画面データを作成する第１の画面生成ステップと、
前記所定のユーザのユーザ端末が、Ｗｅｂブラウザを用いて前記サーバから前記グループページ画面の画面データを取得して表示部に表示させ、前記画像データの中から選択された１又は複数の画像データを公開するユーザを特定するグループ情報が設定されたら、前記グループ情報を前記サーバに送信するグループ登録ステップと、
前記サーバが、前記１又は複数の画像データを前記グループ情報に関連付けて記憶する第２の画像データ登録ステップと、
前記サーバが、前記グループ情報で特定されるユーザからのアクセスに対して、前記グループ情報に関連付けて記憶した前記１又は複数の画像データに基づく画像が一覧表示されるグループページ画面の画面データを作成する第２の画面生成ステップと、
前記グループ情報で特定されるユーザのユーザ端末が、Ｗｅｂブラウザを用いて前記サーバから前記グループページ画面の画面データを取得して表示部に表示させる画像データ表示ステップと、を少なくとも有することを特徴とする画像データ共有方法。
【請求項８】
画像データを利用するユーザのユーザ端末と、前記画像データを保管するサーバと、が通信ネットワークで接続されたシステムにおける画像データ共有方法であって、
所定のユーザのユーザ端末が、前記画像データに基づく画像が一覧表示されるローカル画面を表示し、前記画像データ及び前記所定のユーザを特定するユーザ情報を前記サーバに送信するアップロードステップと、
前記サーバが、前記画像データを前記ユーザ情報に関連付けて記憶する第１の画像データ登録ステップと、
前記サーバが、前記所定のユーザからのアクセスに対して、前記ユーザ情報に関連付けて記憶した前記画像データに基づく画像が一覧表示されるユーザページ画面の画面データを作成する第１の画面生成ステップと、
前記所定のユーザのユーザ端末が、Ｗｅｂブラウザを用いて前記サーバから前記ユーザページ画面の画面データを取得して表示部に表示させ、前記画像データの中から選択された１又は複数の画像データを公開するユーザを特定するグループ情報が設定されたら、前記グループ情報を前記サーバに送信するグループ登録ステップと、
前記サーバが、前記１又は複数の画像データを前記グループ情報に関連付けて記憶する第２の画像データ登録ステップと、
前記サーバが、前記グループ情報で特定されるユーザからのアクセスに対して、前記グループ情報に関連付けて記憶した前記１又は複数の画像データに基づく画像が一覧表示されるグループページ画面の画面データを作成する第２の画面生成ステップと、
前記グループ情報で特定されるユーザのユーザ端末が、Ｗｅｂブラウザを用いて前記サーバから前記グループページ画面の画面データを取得して表示部に表示させる画像データ表示ステップと、を少なくとも有することを特徴とする画像データ共有方法。
【請求項９】
前記画像データ登録ステップ又は前記第２の画像データ登録ステップでは、前記サーバは、前記グループ情報で特定されるユーザに対して、前記グループページ画面の画面データを取得するためのアドレス情報を記述した電子メールを送信する、ことを特徴とする請求項６乃至８のいずれか一に記載の画像データ共有方法。
【請求項１０】
前記ローカル画面と、前記ユーザページ画面及び／又は前記グループページ画面とは、少なくとも、画像データに基づく画像が一覧表示される画像表示欄と、前記画像データに対する処理を指示するボタンが配列される指示欄と、が同じ態様で表示される、ことを特徴とする請求項６乃至９のいずれか一に記載の画像データ共有方法。
【発明の詳細な説明】
【技術分野】
【０００１】
本発明は、画像データ共有システム及び画像データ共有方法に関し、特に、写真画像の利用促進を図る画像データ共有システム及び画像データ共有方法に関する。
【背景技術】
【０００２】
近年、写真画像に関する様々なサービスが提供されている。例えば、写真を撮影したデジタルカメラやデジタルカメラ用メディアをミニラボ等の写真店に持ち込み、店舗内に設けられた無人端末（キオスク）や店頭端末などを操作することによって、デジタルカメラやメディアに記録された画像データをＣＤ、ＤＶＤなどの記録媒体に書き込むことができる。
【０００３】
上記記録媒体をユーザのコンピュータ端末に装填することにより画像データに基づく写真画像を表示することができる。また、ユーザのコンピュータ端末で動作するアプリケーションを用いて、画像データを他の記録媒体にコピーすることも可能であり、コピーした記録媒体を他のユーザに提供することにより、当該他のユーザも写真画像を閲覧することができる。このような画像データのコピーに関して、例えば、下記特許文献１には、画像データを記録媒体に記録する技術が開示されている。
【先行技術文献】
【特許文献】
【０００４】
【特許文献１】特開２００５−２６７７７４号公報
【発明の開示】
【発明が解決しようとする課題】
【０００５】
画像データをコピーした記録媒体を他のユーザに提供する方法は、写真画像の利用促進を図る１つの方法ではあるが、この方法では画像データを記録媒体に書き込む手間や画像データを書き込んだ記録媒体を他のユーザに提供する手間が発生する。
【０００６】
一方、近年のインターネットの普及により画像データをネットワーク上で公開することが行われており、自身のホームページに画像データをアップロードして自由に閲覧できるようにしたり、ホームページを会員制にして、特定のユーザのみが閲覧できるようにする方法が行われている。
【０００７】
しかしながら、ホームページを開設したり、ホームページに画像データをアップロードしたり、ホームページにアクセス制限を設けたりするにはある程度のスキルが必要である。また、ホームページは開設したユーザが他のユーザに一方的に画像データを提供する方法であり、この方法では、画像データを相互利用することができない。
【０００８】
本発明は、上記問題点に鑑みてなされたものであって、その主たる目的は、簡便な方法で画像データの利用促進を図ることができる画像データ共有システム及び画像データ共有方法を提供することにある。
【課題を解決するための手段】
【０００９】
上記目的を達成するため、本発明は、画像データを利用するユーザのユーザ端末と、前記画像データを保管するサーバと、が通信ネットワークで接続された画像データ共有システムにおいて、前記サーバは、所定のユーザのユーザ端末から前記画像データと前記画像データを公開するユーザを特定するグループ情報とを受信したら、前記画像データを前記グループ情報に関連付けて記憶する登録部と、前記グループ情報に関連付けて記憶した前記画像データに基づく画像が一覧表示されるグループページ画面の画面データを作成する画面生成部と、を少なくとも備え、前記所定のユーザのユーザ端末は、前記画像データに基づく画像が一覧表示されるローカル画面を生成して表示部に表示させるローカル表示制御部と、Ｗｅｂブラウザを用いて前記サーバから前記グループページ画面の画面データを取得して前記表示部に表示させるＷｅｂ表示制御部と、を少なくとも備え、前記グループ情報で特定されるユーザのユーザ端末は、Ｗｅｂブラウザを用いて前記サーバから前記グループページ画面の画面データを取得して表示部に表示させるＷｅｂ表示制御部を少なくとも備えるものである。
【００１０】
また、本発明は、画像データを利用するユーザのユーザ端末と、前記画像データを保管するサーバと、が通信ネットワークで接続された画像データ共有システムにおいて、前記サーバは、所定のユーザのユーザ端末から前記画像データ及び前記所定のユーザを特定するユーザ情報を受信したら、前記画像データを前記ユーザ情報に関連付けて記憶し、前記画像データの中から選択された１又は複数の画像データを公開するユーザを特定するグループ情報を受信したら、前記１又は複数の画像データを前記グループ情報に関連付けて記憶する登録部と、前記グループ情報に関連付けて記憶した前記１又は複数の画像データに基づく画像が一覧表示されるグループページ画面の画面データを作成する画面生成部と、を少なくとも備え、前記所定のユーザのユーザ端末は、前記画像データに基づく画像が一覧表示されるローカル画面を生成して表示部に表示させるローカル表示制御部と、Ｗｅｂブラウザを用いて前記サーバから前記グループページ画面の画面データを取得して前記表示部に表示させるＷｅｂ表示制御部と、を少なくとも備え、前記グループ情報で特定されるユーザのユーザ端末は、Ｗｅｂブラウザを用いて前記サーバから前記グループページ画面の画面データを取得して表示部に表示させるＷｅｂ表示制御部を少なくとも備えるものである。
【００１１】
また、本発明は、画像データを利用するユーザのユーザ端末と、前記画像データを保管するサーバと、が通信ネットワークで接続された画像データ共有システムにおいて、前記サーバは、所定のユーザのユーザ端末から前記画像データ及び前記所定のユーザを特定するユーザ情報を受信したら、前記画像データを前記ユーザ情報に関連付けて記憶し、前記画像データの中から選択された１又は複数の画像データを公開するユーザを特定するグループ情報を受信したら、前記１又は複数の画像データを前記グループ情報に関連付けて記憶する登録部と、前記所定のユーザからのアクセスに対して、前記ユーザ情報に関連付けて記憶した前記画像データに基づく画像が一覧表示されるユーザページ画面の画面データを作成し、前記グループ情報で特定されるユーザからのアクセスに対して、前記グループ情報に関連付けて記憶した前記１又は複数の画像データに基づく画像が一覧表示されるグループページ画面の画面データを作成する画面生成部と、を少なくとも備え、前記所定のユーザのユーザ端末は、前記画像データに基づく画像が一覧表示されるローカル画面を生成して表示部に表示させるローカル表示制御部と、Ｗｅｂブラウザを用いて前記サーバから前記ユーザページ画面及び前記グループページ画面の画面データを取得して前記表示部に表示させるＷｅｂ表示制御部と、を少なくとも備え、前記グループ情報で特定されるユーザのユーザ端末は、Ｗｅｂブラウザを用いて前記サーバから前記グループページ画面の画面データを取得して表示部に表示させるＷｅｂ表示制御部を少なくとも備えるものである。
【発明の効果】
【００１２】
本発明の画像データ共有システム及び画像データ共有方法によれば、簡便な方法で画像データの利用促進を図ることができる。
【００１３】
その理由は、インターネット上のサーバには、画像データがユーザ情報及びグループ情報に関連付けて記憶され、ユーザがサーバにアクセスすると、各ユーザが属するグループ情報に関連付けられた画像データがグループ毎に分類されたＷｅｂ画面が表示されるからである。
【図面の簡単な説明】
【００１４】
【図１】本発明の第１の実施例に係る画像データ共有システムの構成を模式的に示す図である。
【図２】本発明の第１の実施例に係るサーバの構成を示すブロック図である。
【図３】本発明の第１の実施例に係るユーザ端末の構成を示すブロック図である。
【図４】本発明の第１の実施例に係る画像データ共有システムの概略動作を示す図である。
【図５】本発明の第１の実施例に係る記録媒体の作成処理を示すフローチャート図である。
【図６】本発明の第１の実施例に係る画像データのアップロード処理を示すフローチャート図である。
【図７】本発明の第１の実施例に係るグループ登録処理を示すフローチャート図である。
【図８】本発明の第１の実施例に係るグループページ閲覧処理を示すフローチャート図である。
【図９】本発明の第１の実施例に係るユーザＡのユーザ端末で生成、表示する第１画面（ローカル画面）の構成例を示す図である。
【図１０】本発明の第１の実施例に係るサーバで生成し、ユーザＡのユーザ端末で表示する第２画面（マイページ画面）の構成例を示す図である。
【図１１】本発明の第１の実施例に係るサーバで生成し、ユーザＡのユーザ端末で表示する第３画面（グループページ画面）の構成例を示す図である。
【図１２】本発明の第１の実施例に係るサーバで生成し、ユーザＢのユーザ端末で表示する第３画面（グループページ画面）の構成例を示す図である。
【図１３】本発明の第１の実施例に係るサーバに記憶されるデータベースの構成例を示す図である。
【図１４】本発明の第２の実施例に係る画像データ共有システムの概略動作を示す図である。
【図１５】本発明の第２の実施例に係るグループ登録処理を示すフローチャート図である。
【発明を実施するための形態】
【００１５】
背景技術で示したように、写真画像の利用促進を図る方法として画像データをホームページで公開する方法などがあるが、ホームページを開設したり、ホームページに画像データをアップロードしたり、ホームページにアクセス制限を設けたりするのは容易ではない。また、この方法はホームページを開設したユーザが他のユーザに一方的に画像データを提供する方法であり、画像データを相互に利用することができない。
【００１６】
そこで、本発明の一実施の形態では、ユーザ端末とサーバとが通信ネットワークで接続されたシステムにおいて、ユーザ端末で動作する特定のプログラムにより表示されるローカル画面で画像データの保管を指示すると画像データとユーザ情報とがサーバに送信され、画像データがユーザ情報に関連付けられてサーバに保存されるようにする。また、サーバが提供するユーザ毎のＷｅｂ画面において画像データを指定してグループを登録すると、画像データとグループ情報とが関連付けられてサーバに保存されるようにする。そして、当該グループに属するユーザにアドレス情報が通知され、ユーザが当該アドレス情報にアクセスすると、各ユーザが属するグループ情報に関連付けられた画像データがグループ毎に分類して表示されるＷｅｂ画面が表示されるようにする。
【００１７】
これにより、各ユーザは煩雑な操作を行うことなく、自身が登録した画像データを登録したグループに属するユーザのみに閲覧させることができる。また、特定のプログラムにより表示されるローカル画面とサーバが作成するＷｅｂ画面とを同様の態様で表示することにより、画面の操作性を格段に向上させることができる。
【００１８】
なお、本発明は任意の種類の画像データに対して効果が得られるが、特に、会社等のイベントで幹事が参加者に写真を見せる場合や、自分の写真を親や子供、親戚等に見せる場合などにおいて、各人が写真の画像データをサーバにアップロードしてグループ登録しておけばよいため、写真を所有するユーザの負担を大幅に減らすことができる。更に、会社等のイベントの記録は次の幹事に引き継がれるものであり、家族の記録は子孫代々受け継がれるものであるため、本発明を利用することにより、写真を大切に保管しつつ有効に利用することが可能となる。
【実施例１】
【００１９】
上記実施形態について詳細に説明すべく、本発明の第１の実施例に係る画像データ共有システム及び画像データ共有方法について、図１乃至図１３を参照して説明する。図１は、本実施例の画像データ共有システムの構成を模式的に示す図であり、図２は、サーバの構成、図３は、ユーザ端末の構成を示すブロック図である。また、図４は、本実施例の画像データ共有システムの概略動作を示す図であり、図５乃至図８は、その詳細動作を示すフローチャート図である。また、図９乃至図１２は、ユーザ端末に表示される画面の構成例を示す図であり、図１３は、サーバに記憶されるデータベースの構成例を示す図である。
【００２０】
図１に示すように、本実施例の画像データ共有システム１０は、画像データの保存及び管理を行うサーバ２０と、画像データを登録するユーザＡのコンピュータ端末（ユーザ端末３０とする。）と、登録された画像データを利用するユーザＢのコンピュータ端末（ユーザ端末４０とする。）などを備え、これらは、ＬＡＮ（Local Area Network）やＷＡＮ（Wide Area Network）などの通信ネットワーク５０を介して接続されている。以下、各装置について詳述する。
【００２１】
［サーバ］
図２（ａ）に示すように、サーバ２０は、ＣＰＵ（Central Processing Unit）２１ａ、ＲＯＭ（Read Only Memory）２１ｂ、ＲＡＭ（Random Access Memory）２１ｃなどで構成される制御部２１と、プログラムやデータを記憶するハードディスクなどの記憶部２２と、通信ネットワーク５０に接続するためのＮＩＣ（Network Interface Card）やモデムなどのネットワーク接続部２３と、必要に応じて操作部２４及び表示部２５などを備える。
【００２２】
また、図２（ｂ）に示すように、上記制御部２１は、ユーザ端末３０から送信された画像データをユーザ情報やグループ情報に関連付けて記憶する登録部、各ユーザが登録した画像データを表示するユーザ毎の第２画面（マイページ画面）や各ユーザが属するグループ毎の画像データを表示する第３画面（グループページ画面）の画面データを作成する画像生成部としても機能する。この登録部及び画像生成部はハードウェアとして構成してもよいし、制御部２１を登録部及び画像生成部として機能させるプログラムとして構成してもよい。
【００２３】
［ユーザ端末］
図３（ａ）に示すように、ユーザ端末３０、４０は、ＣＰＵ３１ａ、ＲＯＭ３１ｂ、ＲＡＭ３１ｃなどで構成される制御部３１と、プログラムやデータを記憶するハードディスクなどの記憶部３２と、通信ネットワーク５０に接続するためのＮＩＣやモデムなどのネットワーク接続部３３と、各種操作を行うキーボードやマウスなどの操作部３４と、後述する各種画面を表示するＬＣＤ（Liquid Crystal Display）などの表示部３５などを備える。
【００２４】
また、図３（ｂ）に示すように、上記制御部３１は、所定の記憶場所（装填された記録媒体や記憶部３２など）から画像データを読み出し、画像データに基づく画像を一覧表示する第１画面（ローカル画面）を表示部３５に表示させるローカル表示制御部（ユーザ端末４０は必須ではない。）、Ｗｅｂブラウザを用いてサーバ２０から画面データを取得し、第２画面（マイページ画面）や第３画面（グループページ画面）を表示部３５に表示させるＷｅｂ表示制御部としても機能する。
【００２５】
このローカル表示制御部及びＷｅｂ表示制御部はハードウェアとして構成してもよいし、制御部３１をローカル表示制御部及びＷｅｂ表示制御部として機能させるプログラムとして構成してもよい。このプログラムは、ユーザ端末３０、４０に予めインストールしてもよいし、画像データを記録した記録媒体に書き込み、当該記録媒体が装填されたら実行されるようにしてもよい。
【００２６】
なお、画像データ共有システム１０はサーバ２０とユーザ端末３０、４０とを備えていればよいが、必要に応じて、写真店やコンビニエンスストアなどに設置され、ユーザが提供した画像データと必要に応じて当該画像データに基づく処理を実行するための特定のアプリケーションなどが記録された記録媒体を作成する店舗端末（キオスク６０と呼ぶ。）や、写真を撮影して画像データ（又はサムネイル画像データやスクリーンネイル画像データ）をサーバ２０にアップロードする携帯端末７０などを備える構成としてもよい。
【００２７】
以下、本実施例の画像データ共有システム１０の処理について、図面を参照して説明する。
【００２８】
［記録媒体作成処理］
まず、画像データを記録した記録媒体を作成する手順（図４の（１））について、図５のフローチャート図を参照して説明する。この記録媒体はキオスク６０や特定のプログラムがインストールされたユーザ端末で作成することができるが、ここではキオスク６０で作成する場合について説明する。
【００２９】
ステップＳ１０１で、キオスク６０にデジタルカメラを接続、又は、デジタルカメラで撮影した画像データが記録されたメディアを装填すると、ステップＳ１０２で、キオスク６０のデータ入力手段は、デジタルカメラやメディアなどに記録された画像データを読み取る。ここで、読み取る画像データはデジタルカメラなどで撮影して得られた画像データに限定されず、ネガフィルムや写真プリントをスキャンして得られた画像データや、ビデオテープレコーダなどから得られた動画データ、動画をキャプチャして得られた静止画像データなどであってもよい。
【００３０】
次に、ステップＳ１０３で、必要に応じて、キオスク６０のデータ生成手段を用いて、読み取った画像データに基づいて動画データを生成（エンコード）し、生成された動画データに基づいて、家電機器で再生可能な形式の家電機器用データ（例えば、動画データがＭＰＥＧ１形式の場合はＶｉｄｅｏ−ＣＤ形式のデータ、動画データがＭＰＥＧ１又はＭＰＥＧ２の場合はＤＶＤ−Ｖｉｄｅｏ形式のデータ）を生成（オーサリング）する。また、必要に応じて、画像データのファイル名を予め定められたルールに従ってリネームしたり、読み取った画像データのデータサイズを縮小したサムネイル画像データやスクリーンネイル画像データなどの縮小画像データを作成する。
【００３１】
次に、ステップＳ１０４で、ＣＤやＤＶＤ、Ｂｕｅ−ｒａｙなどの記録媒体を装填する。この記録媒体として市販されている任意の記録媒体を用いることができるが、特定の記録媒体に対してのみデータの記録が行われるようにしてもよく、その場合は、ステップＳ１０５で、記録媒体の所定の領域に該記録媒体を識別するための識別情報が記録されているかを調べ、識別情報が記録されている場合に特定の記録媒体と判断する。この識別情報の中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００３２】
次に、ステップＳ１０６で、キオスク６０の記録制御手段を用いて記録媒体に各種データを記録する。その際、家電機器ではデータを読み込むことができる記録領域が限定されるため、家電機器用データを記録する場合は、生成した家電機器用データを記録媒体の論理アドレス領域の内周側に書き込み、必要に応じてセッションをクローズした後、読み取った画像データや縮小画像データ、特定のプログラム、識別情報が記述された管理データなどのコンピュータ機器用データを記録媒体の先に記録した家電機器用データの外側に書き込む。なお、この論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ）情報の領域は含まず、また、論理アドレス領域外とは上記論理アドレス領域以外の領域を指すものとする。
【００３３】
そして、上記各種データの記録が終了したら記録媒体を排出する。
【００３４】
［画像データのアップロード処理］
次に、上記手順で作成された記録媒体を用いてユーザＡのユーザ端末３０から画像データをアップロードする手順（図４の（２））について、図６のフローチャート図及び図９の画面構成例を参照して説明する。なお、以下の説明において、ユーザＡは予めサーバ２０に画像データを保管するサービスに会員登録しているものとする。
【００３５】
まず、ステップＳ２０１で、ユーザＡがユーザ端末３０に記録媒体を装填すると、ステップＳ２０２で、制御部３１は、記憶部３２に予め記憶、若しくは記録媒体に記録された特定のプログラムを読み出して起動する。
【００３６】
次に、ステップＳ２０３で、特定のプログラム（制御部３１のローカル表示制御部）は、記録媒体に記録された画像データを読み取り、ステップＳ２０４で、表示部３５に、例えば、図９に示すような第１画面８０（ローカル画面）を表示させる。この第１画面８０には、画像データ群を選択するボタンや選択した画像データ群に属する画像データに基づく画像が一覧表示される画像表示欄８１と、画像データに対する処理を指示するボタンが配列された指示欄８２などが設けられている。
【００３７】
次に、ユーザＡは、画像表示欄８１に表示された画像データの中から所望の画像データを選択し、ステップＳ２０５で、選択した画像データに対する処理を指示欄８２から選択する。例えば、「編集する」を選択すると画像の順番を並び替えたり画像を回転するなどの処理、「保存する」を選択すると画像データを記録媒体やサーバ２０に保存する処理、「メールする」を選択すると選択した画像データを添付したメールを送信する処理、「プリントする」を選択するとユーザ端末３０に接続されたプリンタに画像データを出力する処理、「ＮＥＴプリントする」を選択するとネットワーク経由で写真店にプリント注文する処理、「スライドショー」を選択すると画像データに基づく画像を所定のスライド効果で順番に再生する処理、「アルバムを見る」を選択するとアルバムとして保存されている画像データに基づく画像を表示する処理が実行される。
【００３８】
そして、保存以外の処理が指示された場合は、ステップＳ２０６で、上述した処理が実行される。一方、保存が指示された場合は、ステップＳ２０７で、特定のプログラム（制御部３１）は、新たに装填された記録媒体に、選択された画像データと、必要に応じて画像データに基づいて作成された縮小画像データや家電機器用データ、特定のプログラムなどを記録する。
【００３９】
上記のように画像データを新たな記録媒体に記録することにより、その記録媒体を提供された他のユーザは画像データを閲覧することができるが、例えば、多数のユーザが写っている写真の画像データを全員が閲覧できるようにするためにはユーザ分の記録媒体を作成しなければならず、ユーザＡの操作が煩雑になる。また、画像データを新たな記録媒体に記録することにより、画像データを安全に保管することができるが、記録媒体は材質の特性により変形しやすく、記録媒体が変形すると画像データの読み出しができなくなるため、長期間保存することが求められる画像データは他の方法での保管も必要になる。
【００４０】
そこで、本実施例では、ステップＳ２０８で、特定のプログラム（制御部３１）は画像データを記録媒体に記録した後、その画像データをサーバ２０に保管するか否かをユーザに問い合わせ、ユーザＡがサーバ保管を指示した場合は、ステップＳ２０９で、選択された画像データとユーザＡのユーザ情報とをサーバ２０にアップロードする。
【００４１】
そして、画像データとユーザ情報とを受信したサーバ２０では、ステップＳ２１０で、制御部２１（登録部）は、画像データをユーザ情報に関連付けて記憶部２２に登録する。
【００４２】
なお、ここではユーザ端末３０から画像データをアップロードする場合について説明したが、キオスク６０や携帯端末７０から画像データをアップロードする場合も同様に適用することができる。
【００４３】
［グループ登録処理］
次に、サーバ２０にアップロードした画像データをグループに公開するためのグループ登録処理（図４の（３）、（４））について、図７のフローチャート図及び図１０、１１の画面構成例を参照して説明する。
【００４４】
まず、ステップＳ３０１で、ユーザＡはＷｅｂブラウザを用いて会員ページにアクセスし、ユーザ情報、パスワードなどを入力してログインする。
【００４５】
すると、サーバ２０の制御部２１（画面生成部）は、ログインしたユーザ情報に関連付けて保管されている画像データを記憶部２２から取り出し、その画像データに基づく画像が表示される画面データを作成し、ステップＳ３０２で、ユーザ端末３０の制御部３１（Ｗｅｂ表示制御部）は、Ｗｅｂブラウザを用いてその画面データを取得し、例えば、図１０に示すような第２画面９０（マイページ画面）を表示部３５に表示させる。
【００４６】
ここで、前述した第１画面８０はユーザ端末３０の制御部３１（特定プログラム）によって生成される画面、上記第２画面９０はサーバ２０の制御部２１（画面生成部）によって生成される画面であり、通常、双方の画面の構成は統一されていないため、操作性が悪く、操作の間違いが生じやすいという問題があった。一方、双方の画面は、画像データに基づく画像を表示し、選択した画像データに対して処理を指示するものであり、共通する項目も多い。そこで、本実施例では、第１画面８０と第２画面９０の態様を統一し、操作性の向上を図っている。
【００４７】
具体的には、第２画面９０においても、第１画面８０と同様に、画像データ群を選択するボタンや選択した画像データ群に属する画像データに基づく画像が表示される画像表示欄９１と、画像データに対する処理を指示するボタンが配列された指示欄９２とを設け、同じ態様（デザインや配置、構成）で表示すると共に、ボタンの名称等も統一する。
【００４８】
次に、ユーザＡは、ステップＳ３０３で、画像表示欄９１に表示された画像データの中から所望の画像データを選択し、指示欄９２から［グループ登録］選択すると、サーバ２０の制御部２１（画面生成部）は、選択された画像データに基づく画像が表示される画面データを作成し、ステップＳ３０４で、ユーザ端末３０の制御部３１（Ｗｅｂ表示制御部）は、Ｗｅｂブラウザを用いてその画面データを取得し、例えば、図１１（ａ）に示すような第３画面１００（グループページ画面）を表示部３５に表示させる。
【００４９】
この第３画面１００（グループページ画面）に関しても、第１画面８０及び第２画面９０と共通する項目が多い。そこで、本実施例では、第１画面８０及び第２画面９０と第３画面１００の態様を統一し、操作性の向上を図っている。
【００５０】
具体的には、第３画面１００においても、第１画面８０及び第２画面９０と同様に、グループを選択するボタンや選択したグループのイベントを選択するボタン、選択したグループ若しくはイベントに属する画像データに基づく画像が表示される画像表示欄１０１と、画像データに対する処理を指示するボタンが配列された指示欄１０２とを設け、同じ態様（デザインや配置、構成）で表示すると共に、ボタンの名称等も統一する。
【００５１】
次に、ステップＳ３０５で、ユーザが［グループを作る］ボタンを押下してグループ作成を指示すると、サーバ２０の制御部２１（画面生成部）は、グループに関する情報を入力する画面データを作成し、ユーザ端末３０の制御部３１（Ｗｅｂ表示制御部）は、Ｗｅｂブラウザを用いてその画面データを取得し、例えば、図１１（ｂ）に示すようなグループ登録画面１０３を表示部３５に表示させる。なお、ここでは第２画面９０（マイページ画面）から第３画面１００（グループページ画面）に遷移した後、グループ登録画面１０３に遷移する構成としたが、第２画面９０（マイページ画面）から直接グループ登録画面１０３に遷移する構成としてもよい。
【００５２】
そして、ステップＳ３０６で、ユーザＡはグループの名称、共通パスワード、メンバー名、メールアドレス等のグループ情報を入力し、登録ボタンを押すと、グループ情報がサーバ２０に送信され、ステップＳ３０７で、サーバ２０の制御部２１（登録部）は、入力されたグループ情報を図１３に示すようなデータベースに書き込み（すなわち、画像データをグループ情報に関連付けて登録し）、ステップＳ３０８で、登録されたメールアドレスにグループ登録されたことを通知するメッセージ及び会員登録画面若しくは第３画面（グループページ画面）にアクセスするためのアドレス情報を記載したメールを送信する。
【００５３】
［グループページ閲覧処理］
次に、メールを受信したユーザＢがグループページ画面を閲覧する処理（図４の（５）、（６））について、図８のフローチャート図及び図１２の画面構成例を参照して説明する。
【００５４】
まず、ステップＳ４０１で、ユーザＢはユーザ端末４０のメールアプリケーションを起動して上記メールを受信し、Ｗｅｂブラウザを用いてメールで指示されたアドレスにアクセスする。そして、ステップＳ４０２で、ユーザＢは、画面の指示に従ってユーザ情報を入力し、会員登録を行う。なお、ユーザＢが会員登録済みの場合、若しくは会員登録が不要なサービスの場合は、このステップを省略することができる。
【００５５】
すると、サーバ２０の制御部２１（画面生成部）は、データベースを参照してログインしたユーザが属するグループを特定し、そのグループに関連付けて保管されている画像データを記憶部２２から取り出し、その画像データに基づく画像が表示される画面データを作成し、ステップＳ４０３で、ユーザ端末３０の制御部３１（Ｗｅｂ表示制御部）は、Ｗｅｂブラウザを用いてその画面データを取得し、例えば、図１２に示すような第３画面１１０（グループページ画面）を表示部３５に表示させる。
【００５６】
具体的に説明すると、図１３に示すように、ユーザＡが登録したグループが「グループＡ」、「グループＢ」、「グループＣ」であり、ユーザＢが「グループＡ」、「グループＣ」に登録されているため、画像表示欄１１１のグループ選択領域に「グループＡ」、「グループＣ」が表示され、選択したグループに関するイベントの画像が表示される。また、ユーザＢはグループＤにも属していることから、グループ選択領域に「グループＤ」も表示される。
【００５７】
すなわち、ユーザＢの第３画面１１０（グループページ画面）には、ユーザＡが登録したグループＡ、Ｃに関連付けられた画像データが表示されるだけでなく、ユーザＢ自身が登録したグループＤに関連付けられた画像データも表示される。また、ユーザＢがグループＤにユーザＡを登録すると、図１１の第３画面１１０（グループページ画面）には、グループＤに関連付けられた画像データも表示される。従って、従来のように、１人のユーザを中心にして画像データが共有されるのではなく、多数のユーザの各々を中心にして画像データが共有されるため、画像データを相互利用することができる。
【００５８】
そして、ステップＳ４０４で、ユーザＢは自身が属するグループの画像を閲覧し、所望の画像に対して指示欄１１２で処理を指示することにより、ユーザＡがアップロードした画像を有効に利用することができる。
【００５９】
このように、本実施例では、第１画面（ローカル画面）で画像データをサーバ２０にアップロードすると、サーバ２０では、画像データをユーザ情報に関連付けて登録して第２画面（マイページ画面）で利用可能にし、第２画面から遷移する第３画面（グループページ画面）でグループ登録を行うと、そのグループに属するメンバーにメールが通知され、各メンバーがメールに記載されたアドレスにアクセスすると、第３画面（グループページ画面）で自身が属するグループの画像が閲覧できるため、画像データの利用促進を図ることができる。特に、会社等のイベントの記録や家族の記録などを次の幹事や子孫に受け継ぐことができ、写真を大切に保管しつつ有効に利用することが可能となる。
【００６０】
また、第２画面（マイページ画面）及び第３画面（グループページ画面）が第１画面（ローカル画面）と同じ態様で表示されるため、ユーザは使い慣れたローカル画面と同様に第２画面（マイページ画面）及び第３画面（グループページ画面）を操作することができ、操作性を格段に向上させることができ、この効果により、更に画像データの利用促進を図ることができる。
【実施例２】
【００６１】
次に、本発明の第２の実施例に係る画像データ共有システム及び画像データ共有方法について、図１４及び図１５を参照して説明する。図１４は、本実施例の画像データ共有システムの概略動作を示す図であり、図１５は、その詳細動作を示すフローチャート図である。
【００６２】
前記した第１の実施例では、第１画面（ローカル画面）から第２画面（マイページ画面）を経由して第３画面（グループページ画面）が表示される構成としたが、第２画面（マイページ画面）を省略し、第１画面（ローカル画面）から直接、第３画面（グループページ画面）に遷移してグループ登録を行うこともできる。その場合の画像データ共有システム１０の処理について、図１４及び図１５を参照して説明する。なお、記録媒体作成処理、画像データのアップロード処理及びグループページ閲覧処理は、前記した第１の実施例と同様であるため、説明を省略する。
【００６３】
［グループ登録処理］
【００６４】
まず、ステップＳ５０１で、ユーザＡはＷｅｂブラウザを用いて会員ページにアクセスし、ユーザ情報、パスワードなどを入力してログインする。
【００６５】
すると、サーバ２０の制御部２１（画面生成部）は、ログインしたユーザ情報に関連付けて保管されている画像データを記憶部２２から取り出し、その画像データに基づく画像が表示される画面データを作成し、ステップＳ５０２で、ユーザ端末３０の制御部３１（Ｗｅｂ表示制御部）は、Ｗｅｂブラウザを用いてその画面データを取得し、例えば、図１１（ａ）に示すような第３画面１００（グループページ画面）を表示部３５に表示させる。
【００６６】
次に、ユーザＡは、ステップＳ５０３で、画像表示欄１０１に表示された画像データの中から所望の画像データを選択し、ステップＳ５０４で、［グループを作る］ボタンを押下してグループ作成を指示すると、サーバ２０の制御部２１（画面生成部）は、グループに関する情報を入力する画面データを作成し、ユーザ端末３０の制御部３１（Ｗｅｂ表示制御部）は、Ｗｅｂブラウザを用いてその画面データを取得し、例えば、図１１（ｂ）に示すようなグループ登録画面１０３を表示部３５に表示させる。
【００６７】
そして、ステップＳ５０５で、ユーザＡはグループの名称、共通パスワード、メンバー名、メールアドレス等のグループ情報を入力し、登録ボタンを押すと、グループ情報がサーバ２０に送信され、ステップＳ５０６で、サーバ２０の制御部２１（登録部）は、入力されたグループ情報を図１３に示すようなデータベースに書き込み（すなわち、画像データをグループ情報に関連付けて登録し）、ステップＳ５０７で、登録されたメールアドレスにグループ登録されたことを通知するメッセージ及び会員登録画面若しくは第３画面（グループページ画面）にアクセスするためのアドレス情報を記載したメールを送信する。
【００６８】
このように、本実施例では、第１画面（ローカル画面）で画像データをサーバ２０にアップロードすると、サーバ２０では、画像データをユーザ情報に関連付けて登録して第３画面（グループページ画面）で利用可能にし、その第３画面（グループページ画面）でグループ登録を行うと、そのグループに属するメンバーにメールが通知され、各メンバーがメールに記載されたアドレスにアクセスすると、第３画面（グループページ画面）で自身が属するグループの画像が閲覧できるため、画像データの利用促進を図ることができる。
【００６９】
また、第３画面（グループページ画面）が第１画面（ローカル画面）と同じ態様で表示されるため、ユーザは使い慣れたローカル画面と同様に第３画面（グループページ画面）を操作することができ、操作性を格段に向上させることができ、この効果により、更に画像データの利用促進を図ることができる。
【００７０】
なお、上記説明では、第３画面（グループページ画面）でグループ作成を指示するとグループ登録画面１０３が表示される構成としたが、図１４の（２）で、画像データにグループ情報を付加してアップロードすることも可能である。この場合、グループ情報が付加された画像データを受信したサーバ２０の制御部２１（登録部）は、画像データをグループ情報に関連付けて登録すると共に、グループ情報で特定されるメールアドレスに、グループ登録されたことを通知するメッセージ及び会員登録画面若しくは第３画面（グループページ画面）にアクセスするためのアドレス情報を記載したメールを送信すればよい。
【００７１】
また、上記実施例では、写真の画像データの利用に関して記載したが、本発明は上記実施例に限定されるものではなく、複数のユーザで共有する任意の画像データに対して同様に適用することができる。
【符号の説明】
【００７２】
１０  画像データ共有システム
２０  サーバ
２１  制御部
２１ａ  ＣＰＵ
２１ｂ  ＲＯＭ
２１ｃ  ＲＡＭ
２２  記憶部
２３  ネットワーク接続部
２４  操作部
２５  表示部
３０  ユーザ端末
３１  制御部
３１ａ  ＣＰＵ
３１ｂ  ＲＯＭ
３１ｃ  ＲＡＭ
３２  記憶部
３３  ネットワーク接続部
３４  操作部
３５  表示部
４０  ユーザ端末
５０  通信ネットワーク
６０  キオスク
７０  携帯端末
８０  第１画面（ローカル画面）
８１  画像表示欄
８２  指示欄
９０  第２画面（マイページ画面）
９１  画像表示欄
９２  指示欄
１００、１１０  第３画面（グループページ画面）
１０１、１１１  画像表示欄
１０２、１１２  指示欄
１０３  グループ登録画面
【図１】
2011082895.tif 000003
【図２】
2011082895.tif 000004
【図３】
2011082895.tif 000005
【図４】
2011082895.tif 000006
【図５】
2011082895.tif 000007
【図６】
2011082895.tif 000008
【図７】
2011082895.tif 000009
【図８】
2011082895.tif 000010
【図９】
2011082895.tif 000011
【図１０】
2011082895.tif 000012
【図１１】
2011082895.tif 000013
【図１２】
2011082895.tif 000014
【図１３】
2011082895.tif 000015
【図１４】
2011082895.tif 000016
【図１５】
2011082895.tif 000017